(57)【特許請求の範囲】
【請求項１】
制御パラメータが埋め込まれた入力デジタル・オーディオ信号から得たフル・レンジ・オーディオ信号及び縮小レンジ・オーディオ信号を同時に表示する方法であって、
上記入力デジタル・オーディオ信号をデコードして、上記フル・レンジ・オーディオ信号及び上記制御パラメータを抽出するステップと、
上記制御パラメータを用いて、上記フル・レンジ・オーディオ信号から上記縮小レンジ・オーディオ信号を発生するステップと、
上記入力デジタル・オーディオ信号の各チャネルに対して、上記縮小レンジ・オーディオ信号及び上記フル・レンジ・オーディオ信号を二重バー表示のバー・グラフとして表示するステップとを具え、
上記二重バーの一方がフル・レンジ・オーディオ信号を表し、上記二重バーの他方が上記縮小レンジ・オーディオ信号を表すことを特徴とするデジタル・オーディオ信号表示方法。
【請求項２】
上記二重バーは、内側バーと、該内側バーを包む外側バーとから成ることを特徴とする請求項１のデジタル・オーディオ信号表示方法。
【請求項３】
各チャネルに対して上記縮小レンジ・オーディオ信号及び上記フル・レンジ・オーディオ信号用の二重ピーク指示を表示するステップを更に具えることを特徴とする請求項１のデジタル・オーディオ信号表示方法。
【発明の詳細な説明】
【０００１】
【発明の属する技術分野】
本発明は、オーディオ信号をモニタする方法、特に、ダイナミック・レンジ制御信号を有するデジタル・オーディオ信号を二重バー（二重になった棒状表示）によって表示するオーディオ・レベル・メータによる表示方法に関する。
【０００２】
【従来の技術】
放送用オーディオ信号は、ほぼ常に、送信する前に、そのダイナミック・レンジを減らすために処理されている。このダイナミック・レンジを減らすことに理由は次の通りである。すなわち、（１）伝送システムの信号対ノイズ比（ＳＮＲ：Signal-to-Noise Ratio）が、広いダイナミック・レンジを扱うには、充分に大きくないことと、（２）典型的な聴取者が、ほとんどの聴取環境にて限定されたレンジを求めていることと、（３）放送局が平均レベルを押し上げて、放送局の音響を大きくし、放送の帯域同調を行っている聴取者の注意を引くこととである。この処理は、しばしば、やり過ぎとなり、フル・ダイナミック・レンジで聞くことを望む聴取者にとっては、不快となる。
【０００３】
【発明が解決しようとする課題】
デジタル放送、特に、デジタル・テレビジョンが出現したことにより、ボリュームを一定値以上又は未満に調整することを好むくつろいだ聴取者と、コンサート・ホールや劇場のフル・ダイナミック・レンジでの体験を好む批評的な聴取者との両者に適応させる方法が存在する。非圧縮のフル・レンジ・オーディオ信号を、変化する制御信号と共に送信し、受信器がこの制御信号を利用して、オーディオ・レベルを自動的に制御する。聴取者は、環境に応じて、どの方法で聴取するかを選択できる。アメリカ合衆国におけるデジタル・テレビジョン用のドルビーＡＣ−３標準は、この洗練されたダイナミック・レンジ制御技法を実施している。デジタル・オーディオ信号をモニタするために、操作者は、従来のオーディオ・レベル・メータを用い、先ず、ダイナミック・レンジ制御をオンにしてオーディオ信号をモニタし、次に、ダイナミック・レンジ制御をオフにしてオーディオ信号をモニタしている。このためには、操作者が２つのモードの間で絶えず切り替えを行い、デジタル・オーディオ信号をモニタする必要があった。なお、ダイナミック・レンジ制御をオン及オフすることにより、フル・レンジ（全レンジの）オーディオ信号や、縮小レンジ（レンジの縮小した）オーディオ信号が得られる。
【０００４】
よって、読み取り易く且つ理解し易い表示をであって、ダイナミック・レンジ制御があるデジタル・オーディオ信号とダイナミック・レンジ制御のないデジタル・オーディオ信号とを同時に示す表示を用いて、ダイナミック・レンジ制御を有するデジタル・オーディオ信号をモニタできる手段が望まれている。
【０００５】
したがって、本発明は、読み取り易く且つ理解し易い表示である二重バー・オーディオ・レベル・メータを用いて、ダイナミック・レンジ制御を有するデジタル・オーディオを信号を表示する方法の提供にある。
【０００６】
【課題を解決するための手段】
本発明は、制御パラメータが埋め込まれた入力デジタル・オーディオ信号から得たフル・レンジ・オーディオ信号及び縮小レンジ・オーディオ信号を同時に表示する方法であって；入力デジタル・オーディオ信号をデコードして、フル・レンジ・オーディオ信号及び制御パラメータを抽出するステップ（１２）と；制御パラメータを用いて、フル・レンジ・オーディオ信号から縮小レンジ・オーディオ信号を発生するステップ（１４）と；入力デジタル・オーディオ信号の各チャネルに対して、縮小レンジ・オーディオ信号及びフル・レンジ・オーディオ信号を二重バー表示のバー・グラフとして表示するステップ（１６、１８）とを具え；二重バーの一方がフル・レンジ・オーディオ信号を表し、二重バーの他方が縮小レンジ・オーディオ信号を表すことを特徴としている。
【０００７】
本発明によれば、先ず、制御信号であるダイナミック制御パラメータが埋め込まれたデジタル・オーディオ信号をオーディオ・デコーダによりデコードして、フル・レンジ・オーディオ信号及び制御パラメータを抽出する。フル・レンジ・デジタル・オーディオ信号及び制御パラメータをオーディオ・レンジ縮小プロセッサに入力して、縮小レンジ・オーディオ信号を発生する。これらフル・レンジ・オーディオ信号及び縮小レンジ・オーディオ信号の両方を表示プロセッサで処理して、入力デジタル・オーディオ信号の各オーディオ・チャネル用の二重バー・グラフ表示を行う。このバー表示には、縮小レンジ・オーディオ・チャネル及びフル・レンジ・オーディオ・チャネルの一方を表す内側バーと、これら縮小レンジ・オーディオ・チャネル及びフル・レンジ・オーディオ・チャネルの他方を表す外側バーとがある。対応するピーク・レベル表示も行なえる。
【０００８】
本発明の目的、零点及び新規な特徴は、添付図を参照した以下の詳細説明から更に明らかになろう。
【０００９】
【発明の実施の形態】
ダイナミック・レンジ制御を有するデジタル・オーディオ信号用のモニタを設計するに当たって、ダイナミック・レンジ制御パラメータ（ＤＹＮＲＮＧ）を有するオーディオ・レベルとかかるダイナミック・レンジ制御パラメータを有さないオーディオ・レベルとを示すことが望ましい。これにより、伝送される真のデジタル・オーディオ・レベル（フル・レンジ・オーディオ信号のレベル）と、ダイナミック・レンジ制御が適用され、聴取者に聴取されるデジタル・オーディオのレベル（縮小レンジ・オーディオ信号のレベル）との両方を操作者が観察することができる。
【００１０】
図１は、ダイナミック・レンジ制御を有するデジタル・オーディオ信号を本発明によって表示した際の二重バー・オーディオ・レベル・メータの表示１０の平面図である。この実施例では、バー・グラフ形式のレベル・メータの表示１０は、５．１チャネル・サラウンド・サウンドであり、中央チャネルＣと、正面の左右のステレオ・チャネルＬ、Ｒと、背面の左右のステレオ・チャネルＬＳ、ＲＳとがあり、全部で５つのサウンド・ソース、即ち、デジタル・オーディオの５チャネルがある。各チャネルに対して、バー（棒状）グラフが表示され、各バーは、内側バー及び外側バーを具えている。なお、内側バーは、チャネルＣ及びＲにおいて突出した部分のバーであり、チャネルＬＳ及びＲＳにおいて凹んだ部分のバーである。また、外側バーは、内側バーの外側である。内側バーは、各チャネルの送信されたデジタル・オーディオの真のレベルを示し、外側バーは、ダイナミック・レンジ制御パラメータＤＹＮＲＮＧにより変調されたレベルを示す。また、この可変バーの上には、ピーク保持シンボル（斜線を有する内側及び外側バーの上部に示された斜線のない内側及び外側バー）が示され、ピークの読みを指示すると共に、そのピーク指示が保持される。これら内側及び外側バーの二重バーに対して、このシンボル（形状）を変更して、内側及び外側バーの両方のピークを指示してもよい。なお、チャネルＬＦＥのバーは、無信号状態なので、「ＭＵＴＥ（無音）」と表示されている。また、チャネルＲ及びＬＳのバーの間の数字は、レベルのｄＢを示す。チャネルＬのバーの上端に矩形で囲まれた「クリップ」は、このチャネルの増幅器が飽和したので、オーディオ信号がクリップされていることを示す。各チャネルのバーの間に示されたダイアモンド・マークは、オーディオ振幅のミッドレンジ（範囲中央）を示す。これらダイアモンド・マークの上下で斜線の方向が変わっているが、ダイアモンド・マークの上の斜線は、黄色を意味し、オーディオ信号が飽和に近い範囲を示す。また、ダイアモンド・マークの下の斜線は、緑色を意味し、オーディオ信号がその振幅範囲内で飽和の問題がないことを示す。
【００１１】
図２は、ダイナミック・レンジ制御を有するデジタル・オーディオを本発明によって表示する二重バー・オーディオ・レベル・メータの簡略化したブロック図である。ドルビーＡＣ−３デコーダの如きオーディオ・デコーダ１２は、デジタル・オーディオ信号を受ける。フル・レンジのデコードされたオーディオ信号は、ダイナミック・レンジ制御データＤＩＡＬＮＯＲＭ、ＤＹＮＲＮＧ、ＣＯＭＰＲと共に出力される。これらダイナミック・レンジ制御データ及びデコードされたオーディオ信号をダイナミック・レンジ縮小プロセッサ１４に入力して、縮小レンジのデコードされたオーディオ信号を発生する。フル・レンジ・オーディオ信号及び縮小レンジ・オーディオ信号を表示プロセッサ１６に入力する。この表示プロセッサ１６は、図１に示すように、縮小レンジ・オーディオ信号用の外側バーと、フル・レンジ・オーディオ信号用の内側バーとを適切な表示器１８に表示する。
【００１２】
【発明の効果】
よって、本発明は、デジタル・オーディオ信号をデコードして、フル・レンジ・オーディオ信号及びダイナミック・レンジ制御パラメータを求め；ダイナミック・レンジ制御パラメータによりフル・レンジ・オーディオ信号を処理して、縮小レンジ・オーディオ信号を発生し；これらフル・レンジ・オーディオ信号及び縮小レンジ・オーディオ信号を処理して、二重バーの表示を行う。なお、この二重バー表示において、外側バーが縮小レンジ・オーディオ信号を表し、内側バーがフル・レンジ・オーディオ信号を表す。よって、本発明は、ダイナミック・レンジ制御を有するデジタル・オーディオ信号に対して、読み取り易く且つ理解し易い表示である二重バーを用いて、オーディオ・レベルをモニタできるので、測定が容易且つ確実となる。
【図面の簡単な説明】
【図１】ダイナミック・レンジ制御を有するデジタル・オーディオを本発明によって表示する二重バー・オーディオ・レベル・メータの表示の平面図である。
【図２】ダイナミック・レンジ制御を有するデジタル・オーディオを本発明によって表示する二重バー・オーディオ・レベル・メータの簡略化したブロック図である。
【符号の説明】
１２  オーディオ・デコーダ
１４  ダイナミック・レンジ縮小プロセッサ
１６  表示プロセッサ
１８  表示器
【図１】
0003921054.tif 000002
【図２】
0003921054.tif 000003